(57)【要約】【課題】各プロジェクトで実際に行うべきより詳細な作業は、プロジェクトで開発すべき対象（コンポーネント）の構成により様々であるため、詳細な作業項目を自動的に定義可能とし、プロジェクト管理者の管理コストを低減させ、ＷＢＳの定義の矛盾や漏れなどのミスをなくし、精度の高いプロジェクト管理を行う。【解決手段】各プロジェクトの開発対象の構成を入力情報として、開発対象（コンポーネント）の構成情報を管理するコンポーネント構成管理部１０２と、共通化されたＷＢＳの定義と各項目を詳細化する際のルールを管理する共通ＷＢＳ管理部１０４と、２つの管理部で管理された情報から自動的にＷＢＳを詳細化するＷＢＳ詳細化装置１０７と、詳細化されたＷＢＳを管理するＷＢＳ管理部１０８を設ける。プロジェクト管理者はプロジェクト固有の詳細な作業項目を自動的に定義する。【選択図】　　　　図２
2004110102.tif 000002
【特許請求の範囲】
【請求項１】
各プロジェクトの開発対象である構成情報をコンポーネント構成管理部に入力するとともに、かつ共通作業工程管理部にも入力し、
該コンポーネント構成管理部は、開発対象であるコンポーネントの構成情報を管理し、
該共通作業工程管理部は、共通して利用可能な作業工程を定義し、かつ該作業工程の各項目を詳細化するパターンを表す作業工程の詳細化レベルを管理し、
作業工程詳細化装置は、上記２つの管理部で管理されている情報を受けて作業工程を詳細化し、
作業工程管理部は、上記作業工程詳細化装置で詳細化された作業工程を管理することを特徴とするプロジェクト管理方法。
【請求項２】
各プロジェクトの開発対象の構成を入力情報として、開発対象の構成情報を管理するコンポーネント構成管理部と、
共通して利用可能な作業工程の定義、および該作業工程の各項目を詳細化するパターンをあらわす作業工程詳細化レベルを管理する共通作業工程管理部と、
これら２つの管理部で管理された情報から、自動的に作業工程を詳細化する作業工程詳細化装置と、
該作業工程詳細化装置により詳細化された作業工程を管理する作業工程管理部を備えることを特徴とする工程定義装置。
【請求項３】
前記共通作業工程管理部で共通化された作業工程により定義された作業項目毎の依存関係と、前記コンポーネント構成管理部で管理されたコンポーネント間の依存関係を反映して、それぞれの詳細化した作業工程の作業項目間に自動的に依存関係を定義することを特徴とする請求項２記載の工程定義装置。
【請求項４】
前記共通作業工程管理部で管理された作業工程詳細化レベルを設定することによって、詳細化する作業項目ごとに各作業の依存関係の定義方法を選択可能とすることを特徴とする請求項２記載の工程定義装置。
【請求項５】
前記プロジェクトの進行中に、開発対象となるコンポーネントの構成が変更された場合、更新された情報を取得し、削除されたコンポーネントもしくはその依存関係が存在した場合、詳細化作業工程情報の作業定義、依存関係定義より、削除対象に関連するレコードすべてを削除し、
作業工程詳細化レベル情報で作業工程詳細化レベルが定義されている作業について、追加されたコンポーネントに対応した詳細な作業として、詳細化作業工程情報の作業定義に該当する定義を追加し、次に、更新されたコンポーネントに関連する作業定義を順に取得し、共通作業工程管理部の作業工程詳細化レベル情報からその作業の作業工程詳細化レベルを取得することを特徴とする請求項１記載のプロジェクト管理方法。
【発明の詳細な説明】
【０００１】
【発明の属する技術分野】
本発明は、本発明は、プロジェクト管理において、プロジェクトの作業情報の管理方法および工程定義装置に関する。
【０００２】
【従来の技術】
従来のプロジェクト管理に関するものとしては、例えば特開２０００−２１５０３８号公報に記載の『情報管理装置および記録媒体』がある。これは、プロジェクト管理者がそのプロジェクトで実施すべき作業工程を定義し、それらの作業工程の定義に、作業の進捗、成果物などを関連付けてプロジェクトの管理を一元的に行うことで、プロジェクト管理の効率を向上させるシステムである。
【０００３】
この装置は、最初に基本的なプロセス定義を記述しておけば、複数の処理手段によりそのプロセス定義の内容に沿ってプロジェクト情報を正しい順序で順次生成していくことが可能であり、一元管理によりプロジェクト情報間に矛盾が生じないという利点がある。
しかし、このようなシステムにおいて、プロジェクト管理者が定義すべき作業工程を組織として共通化することで、開発効率の向上を実現するという試みは一般的に行われており、特に目新しいものではない。
【０００４】
また、他の提案としては、例えば特開２００１−４２９１５号公報に記載の『製品開発工程管理システム、方法、およびこの方法を記録した記録媒体』がある。これは、プロジェクトの進行中に必要な段階で開発工程に作業を追加したり、修正したりする手段を提供することで、プロジェクト管理者がそのプロジェクトを円滑に遂行させることを目的としている。
【０００５】
このシステムによれば、既存のシステムのデータを外部から参照するだけであるため、一般的な製品開発環境において構築して利用されている業務支援システムを改造することなく、開発対象となる製品や、部品についての属性データ間の関連を保持することが可能である。
【０００６】
【発明が解決しようとする課題】
共通化された作業工程に従っている場合、各プロジェクトで実際に行うべき、より詳細な作業は、そのプロジェクトで開発すべき対象（コンポーネント）の構成によって様々である。そのため、このような詳細な作業に関しては、プロジェクトの管理者が逐次必要な作業を追加したり、修正したりする必要がある。この結果、プロジェクト管理者は、プロジェクトの進行中に作業工程の修正を行うための管理コストが必要となる。この管理コストを低減させることが望ましい。
【０００７】
本発明の目的は、このような問題点を解決し、プロジェクト固有の詳細な作業項目を自動的に定義可能とし、プロジェクト管理者の管理コストを低減させ、また、作業工程の定義の矛盾や漏れなどプロジェクト管理者によるミスをなくし、精度の高いプロジェクト管理を実現することが可能なプロジェクト管理方法および工程定義装置を提供することである。
【０００８】
【課題を解決するための手段】
本発明のプロジェクト管理方法は、各プロジェクトの開発対象である構成情報をコンポーネント構成管理部に入力し、かつ共通ＷＢＳ（Ｗｏｒｋ　Ｂｒｅａｋｄｏｗｎ　Ｓｔｒｕｃｔｕｒｅ）管理部にも入力し、コンポーネント構成管理部は、開発対象（コンポーネント）の構成情報を管理するとともに、共通ＷＢＳ管理部は、共通して利用可能な作業工程を定義し、該作業工程の各項目を詳細化するパターンを表すＷＢＳ詳細化レベルを管理し、ＷＢＳ詳細化装置とＷＢＳ管理部は、上記２つの管理部で管理されている情報を受けてＷＢＳを詳細化し、また、ＷＢＳを管理することを特徴としている。
【０００９】
また、本発明の工程定義装置は、各プロジェクトの開発対象の構成を入力情報として、開発対象（コンポーネント）の構成情報を管理するコンポーネント構成管理部と、共通して利用可能な作業工程（ＷＢＳ）の定義と、それらの各項目を詳細化するパターンをあらわすＷＢＳ詳細化レベルを管理する共通ＷＢＳ管理部と、これら２つの管理部で管理された情報から自動的にＷＢＳを詳細化するＷＢＳ詳細化装置と、詳細化されたＷＢＳを管理するＷＢＳ管理部を備えることを特徴としている。
【００１０】
【発明の実施の形態】
以下、本発明の実施の形態について図面により説明する。
（第１の実施形態）
図１は、本発明の第１の実施形態を示す工程定義装置のシステム構成図である。
工程定義装置１０１は、各プロジェクト固有のコンポーネント構成情報１０３を管理するコンポーネント構成管理部１０２（図３で詳細を説明）と、共通ＷＢＳ情報１０５とＷＢＳ詳細化レベル情報１０６を管理する共通ＷＢＳ管理部１０４（図４で詳細に説明）と、ＷＢＳ詳細化装置１０７（図６で詳細を説明）と、詳細化ＷＢＳ情報１０９を管理するＷＢＳ管理部１０８（図５で詳細を説明）から構成される。ＷＢＳ詳細化装置１０７は、コンポーネント構成情報１０３と共通ＷＢＳ情報１０５とＷＢＳ詳細化レベル情報１０６を入力情報としてＷＢＳの詳細化を行い、その結果を詳細化ＷＢＳ情報１０９に格納する。
【００１１】
図２は、図１に示すシステムにおいて実現されるＷＢＳ詳細化の例を示した図である。
コンポーネント構成管理部１０２では、開発対象のコンポーネントとしてコンポーネント（Ａ）２０１、コンポーネント（Ｂ）２０２、コンポーネント（Ｃ）２０３、コンポーネント（Ｄ）２０４が定義されており、コンポーネント（Ｄ）２０４はコンポーネント（Ｂ）２０２、コンポーネント（Ｃ）２０３に、コンポーネント（Ｂ）２０２とコンポーネント（Ｃ）２０３はコンポーネント（Ａ）２０１に依存する依存関係２０５が定義されている。以上が、第１の作業定義と、第２の作業である依存関係が定められる。
【００１２】
次に、共通ＷＢＳ管理部１０４では、ＷＢＳの共通部分が定義されており、内部仕様設計２０７は外部仕様設計２０６に、コーディング２０８は内部仕様設計２０７に、モジュールテスト２０９は内部仕様設計２０７とコーディング２０８に、総合テスト２１０は外部仕様設計２０６とコーディング２０８に、それぞれ依存する依存関係２１１が定義されており、内部仕様設計２０７は２、総合テスト２１０には０といったように、各作業にはＷＢＳ詳細化レベル２１２が定義されている。ＷＢＳ詳細化装置１０７は、これらの情報からＷＢＳを詳細化し、その結果をＷＢＳ管理部１０８に格納する。以上が第２の作業の依存関係の定義と、ＷＢＳ（作業工程）の詳細化である。
【００１３】
ＷＢＳ管理部１０８では、ＷＢＳの詳細化の結果として、共通ＷＢＳ管理部１０４で定義された作業２０６，２０７，２０８，２０９，２１０などと同じ定義を持ち、さらにＷＢＳ詳細化装置１０７によって詳細化された作業２１３，２１４，２１５が定義される。また、共通ＷＢＳ管理部１０４で定義されている依存関係２１１も、ＷＢＳ詳細化装置１０７によってＷＢＳ詳細化レベル２１２に従って、ＷＢＳ管理部１０８に依存関係２１６，２１７，２１８，２１９が定義される。尚、これらの依存関係２１６，２１７，２１８，２１９は、図中で線の種類が異なっているが、これは線の区別を明確にするためであり、依存関係としてまったく同じ種類の情報を表わしている。
【００１４】
図３（ａ）（ｂ）は、コンポーネント構成管理部１０２におけるコンポーネント構成情報１０３の管理方法を示した図である。
コンポーネント（Ａ）２０１、コンポーネント（Ｂ）２０２、コンポーネント（Ｃ）２０３、コンポーネント（Ｄ）２０４が図のような依存関係２０５を持っているという情報は、コンポーネント構成情報１０３では、コンポーネント名３０１と依存関係３０２の２列を持った表で管理される。例えば、コンポーネント名３０１がＡの依存関係３０２の列は値がないため、コンポーネント（Ａ）２０１は依存する他のコンポーネントを持たないとなる。また、コンポーネント名３０１がＤの依存関係３０２の列はＢとＣという２つの値があるため、コンポーネント（Ｄ）２０４はコンポーネント（Ｂ）２０２とコンポーネント（Ｃ）２０３の２つのコンポーネントに依存することとなる。
【００１５】
図４（ａ）（ｂ）は、共通ＷＢＳ管理部１０４における共通ＷＢＳ情報１０５とＷＢＳ詳細化レベル情報１０６の管理方法を示した図である。
共通ＷＢＳ管理部１０４は、共通ＷＢＳ情報１０５を作業定義４０１と依存関係定義４０４の２つの表で管理する。作業定義４０１は作業名４０２と親作業４０３の２つの列を持った表である。例えば、作業名４０２がコーディングの親作業４０３は製造となっているので、コーディング２０８の作業は製造４０９の親作業を持ち、作業名４０２が製造の親作業４０３は値がないため、製造４０９の作業は親作業を持たないこととなる。
【００１６】
依存関係定義４０４は、作業名４０５と依存関係４０６の２つの列を持った表である。例えば、作業名４０５がモジュールテストの依存関係４０６は内部仕様設計とコーディングのため、モジュールテスト２０９は内部仕様設計２０７とコーディング２０８に依存していることになる。ＷＢＳ詳細化レベル情報１０６は、作業名４０７とＷＢＳ詳細化レベル４０８の２つの列を持った表で管理される。例えば、作業名４０７が外部仕様設計のＷＢＳ詳細化レベル４０８が０であるので、開部仕様設計２０６のＷＢＳ詳細化レベル２１２は０となる。
【００１７】
図５（ａ）（ｂ）は、ＷＢＳ詳細化装置１０７によって詳細化されたＷＢＳを管理するＷＢＳ管理部１０８における詳細化ＷＢＳ情報１０９の管理方法を示した図である。
ＷＢＳ管理部１０８は、詳細化ＷＢＳ情報１０９を作業定義５０１と依存関係定義５０２の２つの表で管理する。作業定義５０１は、共通ＷＢＳ情報１０５の作業定義４０１と同様の構造を持った表であり、詳細化された作業２１３，２１４，２１５の定義も管理する。依存関係定義５０２も共通ＷＢＳ情報１０５の依存関係定義４０４と同様の構造を持った表であり、詳細化された作業２１３，２１４，２１５の依存関係２１６，２１７，２１８，２１９の定義も管理する。
【００１８】
図６は、ＷＢＳ詳細化装置１０７が実行する処理全体の流れを表したフローチャートである。
ＷＢＳ詳細化装置１０７は、共通ＷＢＳ情報１０５の作業定義４０１に定義された作業を詳細化ＷＢＳ情報１０９の作業定義５０１にコピーする（ステップ６０１）。次に、ＷＢＳ詳細化レベル情報１０６でＷＢＳ詳細化レベル２１２が１以上に定義されている作業について、コンポーネント構成情報１０３に定義されたコンポーネントに対応した詳細な作業として、詳細化ＷＢＳ情報１０９の作業定義５０１に定義を追加する（ステップ６０２）。共通ＷＢＳ情報１０５の作業定義４０１から順に作業を取得する（ステップ６０３）。
【００１９】
取得した作業の親作業４０３が定義されているかをチェックし（ステップ６０４）、定義されていない場合は、その作業が親作業なので、作業定義４０１にまだ処理を実行していない次の作業が存在するか否かを確認し（ステップ６１０）、次の作業があればステップ６０３の処理から再び実行する。処理を実行していない次の作業が存在しない場合は、ＷＢＳ詳細化装置は処理を終了する。ステップ６０４のチェックにおいて、親作業が定義されている場合は、ＷＢＳ詳細化レベル情報１０６からその作業のＷＢＳ詳細化レベル２１２を取得する（ステップ６０５）。取得したＷＢＳ詳細化レベルによって処理が異なり（ステップ６０６）、０の場合（ステップ６０７）、１の場合（ステップ６０８）、２の場合（ステップ６０９）のそれぞれの処理を実行した後、前述したステップ６１０以降の処理を実行する。
【００２０】
各ＷＢＳ詳細化レベルにおける処理（ステップ６０７，６０８，６０９）の流れについてフローチャートを使用して順番に説明する。
図７は、ＷＢＳ詳細化レベル２１２が０の場合の図６のフローチャートにおけるステップ６０７の処理の詳細を示したフローチャートである。
まず、処理対象の作業について、共通ＷＢＳ情報１０５の依存関係定義４０４から依存関係定義が存在するか否かをチェックする（ステップ７０１）。依存関係定義が存在しない場合は、レベル０の詳細化処理部分の処理を終了する。一方、依存関係が存在する場合、その依存先の作業すべてについて、そのＷＢＳ詳細化レベル２０２をＷＢＳ詳細化レベル情報１０６より取得し（ステップ７０２）、その値によって以下の処理を実行する。
【００２１】
取得したＷＢＳ詳細化レベルの値が１以上の場合、依存先の作業もコンポーネントに対応して詳細化されているため、それらの詳細化された作業すべてと、現在処理対象の作業との依存関係を新たに詳細化ＷＢＳ情報１０９の依存関係定義５０２に定義する（ステップ７０３）。取得したＷＢＳ詳細化レベルの値が１以上でない場合、共通ＷＢＳ情報１０５の依存関係定義４０４に定義された依存関係を詳細化ＷＢＳ情報１０９の依存関係定義５０２にコピーして（ステップ７０４）、レベル０の詳細化処理部分の処理を終了する。
【００２２】
図８は、ＷＢＳ詳細化レベル２１２が１の場合の図６のフローチャートにおけるステップ６０８の処理の詳細を示したフローチャートである。
まず、処理対象の作業について、共通ＷＢＳ情報１０５の依存関係定義４０４から依存関係定義が存在するか否かをチェックする（ステップ８０１）。依存関係定義が存在しない場合は、レベル１の詳細化処理部分の処理を終了する。依存関係が存在する場合、その依存先の作業すべてについて、そのＷＢＳ詳細化レベル２０２をＷＢＳ詳細化レベル情報１０６より取得し（ステップ８０２）、その値によって以下の処理を実行する。
【００２３】
取得したＷＢＳ詳細化レベルの値が１以上の場合、依存先の作業もコンポーネントに対応して詳細化されているため、それらの詳細化された作業と現在処理対象の作業から詳細化された作業同士について、依存関係を新たに詳細化ＷＢＳ情報１０９の依存関係定義５０２に定義する（ステップ８０３）。取得したＷＢＳ詳細化レベルの値が１以上でない場合、すべての詳細化した作業と、依存先作業について、詳細化ＷＢＳ情報１０９の依存関係定義５０２にレコードを追加する（８０４）。そして、レベル０の詳細化処理部分の処理を終了する。
【００２４】
図９は、ＷＢＳ詳細化レベル２１２が２の場合の図６のフローチャートにおけるステップ６０９の処理の詳細を示したフローチャートである。
まず、コンポーネント構成情報１０３で定義された依存関係と同じ依存関係を、詳細化された作業間に対して新たに詳細化ＷＢＳ情報１０９の依存関係定義５０２に定義する（ステップ９０１）。次に、処理対象の作業について、共通ＷＢＳ情報１０５の依存関係定義４０４から依存関係定義が存在するか否かをチェックする（ステップ９０２）。依存関係定義が存在しない場合は、レベル０の詳細化処理部分の処理を終了する。
【００２５】
依存関係が存在する場合、その依存先の作業すべてについて、そのＷＢＳ詳細化レベル２０２をＷＢＳ詳細化レベル情報１０６より取得し（ステップ９０３）、その値によって以下の処理を実行する。取得したＷＢＳ詳細化レベルの値が１以上の場合、依存先の作業もコンポーネントに対応して詳細化されているため、それらの詳細化された作業と現在処理対象の作業から詳細化された作業同士について、依存関係を新たに詳細化ＷＢＳ情報１０９の依存関係定義５０２に定義する（ステップ９０４）。取得したＷＢＳ詳細化レベルの値が１以上でない場合、現在処理対象の作業から詳細化された作業すべてと依存先の作業に依存関係を、新たに詳細化ＷＢＳ情報１０９の依存関係定義５０２に定義して（ステップ９０５）、レベル０の詳細化処理部分の処理を終了する。
【００２６】
（第２の実施の形態）
次に、プロジェクトの進行中に開発対象となるコンポーネントの構成が変更された場合について、ＷＢＳ詳細化装置１０７による変更の反映方法について説明する。すなわち、第２の実施形態は、プロジェクトの進行中にコンポーネントの構成が変更になった場合の例である。
図１０は、本発明の第２の実施形態を示すものであって、開発対象となるコンポーネントの構成が変更された場合のコンポーネント構成情報１０３の管理方法を表した図である。
ここでは、一例として新たにコンポーネントＥ１００１が追加され、コンポーネントＢ２０２がコンポーネントＥ１００１に依存し、コンポーネントＥ１００１がコンポーネントＡ２０１に依存している。この変更に伴って、コンポーネント構成情報１０３にレコードを追加する。すなわち、ここでは、コンポーネント名Ｅに対する依存関係Ａ、コンポーネント名Ｂに対する依存関係Ｅが、コンポーネント構成情報として追加されている。
【００２７】
図１１は、開発対象となるコンポーネントの構成が変更された場合のＷＢＳ詳細化処理後の詳細化ＷＢＳ情報１０９の管理方法を表した図である。
新たに追加されたコンポーネントＥ１００１に対応する作業１１０１，１１０２，１１０３が追加され、それぞれ他の作業との依存関係２１６，２１７，２１８，２１９が定義される。なお、図１１では、コンポーネントＥ１００１に関連する依存関係のみ記している。
【００２８】
図１２は、開発対象となるコンポーネントの構成が変更された場合について、ＷＢＳ詳細化装置１０７の処理の流れを示すフローチャートである。
まず、最初にコンポーネント構成情報１０３より、更新された情報を取得する（ステップ１２０１）。削除されたコンポーネントもしくはその依存関係が存在した場合、詳細化ＷＢＳ情報１０９の作業定義５０１、依存関係定義５０６より、削除対象に関連するレコードすべてを削除する（ステップ１２０２）。
【００２９】
次に、追加されたコンポーネントもしくはその依存関係が存在した場合、ＷＢＳ詳細化レベル情報１０６でＷＢＳ詳細化レベル２１２が１以上に定義されている作業について、追加されたコンポーネントに対応した詳細な作業として、詳細化ＷＢＳ情報１０９の作業定義５０１に定義を追加する（ステップ１２０３）。次に、更新されたコンポーネントに関連する作業定義４０１を順に取得し（ステップ１２０４）、共通ＷＢＳ管理部１０４のＷＢＳ詳細化レベル情報１０６からその作業のＷＢＳ詳細化レベル２１２を取得する（ステップ１２０５）。
【００３０】
以降、新規にＷＢＳ詳細化処理を実行する場合と同様に、取得したＷＢＳ詳細化レベルによって処理が異なり（ステップ１２０６）、０の場合（ステップ６０７）、１の場合（ステップ６０８）、２の場合（ステップ６０９）のそれぞれの処理を更新された詳細化作業について実行する。更新されたコンポーネントに関連する作業定義４０１のすべてについて処理が終了すれば（ステップ１２０７）、ＷＢＳ詳細化装置１０７による詳細化ＷＢＳ情報１０９の更新処理が終了する。
【００３１】
【発明の効果】
以上説明したように、本発明によれば、各プロジェクトが共通化されたＷＢＳを使用し、かつ各プロジェクト固有の詳細な作業を開発対象のコンポーネント構成情報から自動的に生成することで、プロジェクト管理者の管理コストを低減し、作業の詳細化における定義の矛盾や漏れなどの人為的なミスを削滅し、結果として高品質なプロジェクト管理を容易に実現することが可能となる。
【図面の簡単な説明】
【図１】本発明の第１の実施形態を示す工程定義装置の全体の構成図である。
【図２】図１におけるサンプルデータによる工程定義装置の作業工程の詳細化の概要をあらわす図である。
【図３】コンポーネント構成管理部で管理されるコンポーネント構成情報のデータ形式の図である。
【図４】共通ＷＢＳ管理部で管理される共通ＷＢＳ情報とＷＢＳ詳細化レベル情報のデータ形式の図である。
【図５】ＷＢＳ管理部で管理される詳細化ＷＢＳ情報のデータ形式の図である。
【図６】ＷＢＳ詳細化処理の全体をあらわすフローチャート図である。
【図７】ＷＢＳ詳細化レベルが０の場合の詳細化処理部分のフローチャート図である。
【図８】ＷＢＳ詳細化レベルが１の場合の詳細化処理部分のフローチャート図である。
【図９】ＷＢＳ詳細化レベルが２の場合の詳細化処理部分のフローチャート図である。
【図１０】本発明の第２の実施形態を示すもので、コンポーネント構成情報が変更された場合のコンポーネント構成情報のデータ形式の図である。
【図１１】図１０において、コンポーネント構成情報が変更された場合のＷＢＳ詳細化処理後の詳細化ＷＢＳ情報のデータ形式の図である。
【図１２】コンポーネント構成情報が変更された場合のＷＢＳ詳細化処理の全体をあらわすフローチャート図である。
【符号の説明】
１０１：工程定義装置
１０２：コンポーネント構成管理部
１０３：コンポーネント構成情報
１０４：共通ＷＢＳ管理部
１０５：共通ＷＢＳ情報
１０６：ＷＢＳ詳細化レベル情報
１０７：ＷＢＳ詳細化装置
１０８：ＷＢＳ管理部
１０９：詳細化ＷＢＳ情報
２０１，２０２，２０３，２０４，１００１：コンポーネント
２０５，２１１，２１６，２１７，２１８，２１９：依存関係
２０６，２０７，２０８，２０９，２１０，２１３，２１４，２１５，１１０１，１１０２，１１０３：ＷＢＳを構成する作業
２１２：ＷＢＳ詳細化レベル
３０１：コンポーネント名の列
３０２，４０６：依存関係の列
４０１，５０１：作業定義
４０２，４０５，４０７，５０３，５０５：作業名の列
４０３，５０４：親作業の列
４０４，５０２，５０６：依存関係定義
４０８：ＷＢＳ詳細化レベルの列
１００１：追加されたコンポーネント
【図１】
2004110102.tif 000003
【図２】
2004110102.tif 000004
【図３】
2004110102.tif 000005
【図４】
2004110102.tif 000006
【図５】
2004110102.tif 000007
【図６】
2004110102.tif 000008
【図７】
2004110102.tif 000009
【図８】
2004110102.tif 000010
【図９】
2004110102.tif 000011
【図１０】
2004110102.tif 000012
【図１１】
2004110102.tif 000013
【図１２】
2004110102.tif 000014